(57)【特許請求の範囲】
【請求項１】
シンク機器に有線接続される第１の無線通信機器と、少なくとも１つのソース機器に有線接続される第２の無線通信機器とを含み、上記第１の無線通信機器と上記第２の無線通信機器とが無線通信を行うことによって、上記ソース機器から供給されるコンテンツを上記シンク機器に伝送する無線システムであって、
上記第１の無線通信機器は、
当該無線システムを他の無線システムから識別するための識別情報を保持する第１の保持部と、
上記識別情報を含むコマンドを発行する発行手段と、
上記発行手段が発行したコマンドを無線送信する送信手段とを備え、
上記第２の無線通信機器は、
上記第１の保持部が保持する識別情報と同一の識別情報を保持する第２の保持部と、
無線送信されたコマンドを受信する受信手段と、
上記受信手段が受信したコマンドに上記第２の保持部が保持する識別情報と同一の識別情報が含まれているときに限って、当該コマンドを実行する実行手段とを備えている、
ことを特徴とする無線システム。
【請求項２】
上記第１の無線通信機器は、物理アドレスを記憶する第１の記憶部を備え、
上記発行手段は、上記物理アドレスを含むコマンドを発行し、
上記第２の無線通信機器は、第１の記憶部が記憶する物理アドレスと同一の物理アドレスを記憶する第２の記憶部を備え、
上記実行手段は、上記受信手段が受信したコマンドに上記第２の保持部が保持する識別情報と同一の識別情報が含まれており、かつ、上記受信手段が受信したコマンドに上記第２の記憶部が記憶する物理アドレスと同一の物理アドレスが含まれているときに限って、当該コマンドを実行する、
ことを特徴とする請求項１に記載の無線システム。
【請求項３】
上記第１の保持部および上記第２の保持部は、それぞれ、ディップスイッチである、
ことを特徴とする請求項１または２に記載の無線システム。
【請求項４】
上記第１の保持部および上記第２の保持部はそれぞれメモリであって、
ユーザが上記第１の無線通信機器に対して特定の操作を行った際に、上記送信手段は第１の保持部が保持している識別情報を送信し、上記受信手段は上記送信手段が送信した識別情報を受信し、第２の保持部は上記受信手段が受信した識別情報を保持する、
ことを特徴とする請求項１または２に記載の無線システム。
【請求項５】
上記コマンドは、コンテンツを供給するソース機器を切り替えることを上記第２の無線通信機器に指示するコマンドである、
ことを特徴とする請求項１から４のいずれか１項に記載の無線システム。
【請求項６】
シンク機器に有線接続される無線通信機器であって、少なくとも１つのソース機器に有線接続される他の無線通信機器と共に、当該無線通信機器と上記他の無線通信機器とが無線通信を行うことによって上記ソース機器から供給されるコンテンツを上記シンク機器に伝送する無線システムを構成する無線通信機器において、
上記無線システムを他の無線システムから識別するための識別情報を保持する保持部と、
上記識別情報を含むコマンドを発行する発行手段と、
上記発行手段が発行したコマンドを無線送信する送信手段とを備えている、
ことを特徴とする無線通信機器。
【請求項７】
少なくとも１つのソース機器に有線接続される無線通信機器であって、シンク機器に有線接続される他の無線通信機器と共に、当該無線通信機器と上記他の無線通信機器とが無線通信を行うことによって上記ソース機器から供給されるコンテンツを上記シンク機器に伝送する無線システムを構成する無線通信機器において、
上記他の無線通信機器が備える第１の保持部が保持する識別情報と同一の識別情報を保持する第２の保持部と、
無線送信されたコマンドを受信する受信手段と、
上記受信手段が受信したコマンドに上記第２の保持部が保持する識別情報と同一の識別情報が含まれているときに限って、当該コマンドを実行する実行手段とを備えている、
ことを特徴とする無線通信機器。
【請求項８】
少なくとも１つのソース機器に有線接続される第１の無線通信機器と、シンク機器に有線接続される第２の無線通信機器とを含み、上記第１の無線通信機器と上記第２の無線通信機器とが無線通信を行うことによって、上記ソース機器から供給されるコンテンツを上記シンク機器に伝送する無線システムであって、
上記第１の無線通信機器は、
当該無線システムを他の無線システムから識別するための識別情報を保持する第１の保持部と、
上記識別情報を含むコマンドを発行する発行手段と、
上記発行手段が発行したコマンドを無線送信する送信手段とを備え、
上記第２の無線通信機器は、
上記第１の保持部が保持する識別情報と同一の識別情報を保持する第２の保持部と、
無線送信されたコマンドを受信する受信手段と、
上記受信手段が受信したコマンドに上記第２の保持部が保持する識別情報と同一の識別情報が含まれているときに限って、当該コマンドを実行する実行手段とを備えている、
ことを特徴とする無線システム。
【請求項９】
少なくとも１つのソース機器に有線接続される無線通信機器であって、シンク機器に有線接続される他の無線通信機器と共に、当該無線通信機器と上記他の無線通信機器とが無線通信を行うことによって上記ソース機器から供給されるコンテンツを上記シンク機器に伝送する無線システムを構成する無線通信機器において、
上記無線システムを他の無線システムから識別するための識別情報を保持する保持部と、
上記識別情報を含むコマンドを発行する発行手段と、
上記発行手段が発行したコマンドを無線送信する送信手段とを備えている、
ことを特徴とする無線通信機器。
【請求項１０】
シンク機器に有線接続される無線通信機器であって、少なくとも１つのソース機器に有線接続される他の無線通信機器と共に、当該無線通信機器と上記他の無線通信機器とが無線通信を行うことによって上記ソース機器から供給されるコンテンツを上記シンク機器に伝送する無線システムを構成する無線通信機器において、
上記他の無線通信機器が備える第１の保持部が保持する識別情報と同一の識別情報を保持する第２の保持部と、
無線送信されたコマンドを受信する受信手段と、
上記受信手段が受信したコマンドに上記第２の保持部が保持する識別情報と同一の識別情報が含まれているときに限って、当該コマンドを実行する実行手段とを備えている、
ことを特徴とする無線通信機器。
【発明の詳細な説明】
【技術分野】
【０００１】
本発明は、コンテンツを供給するソース機器と、コンテンツを出力するシンク機器との間において、コンテンツおよびコマンドを無線伝送する無線システムに関する。
【背景技術】
【０００２】
ＨＤＭＩ（High-Definition Multimedia Interface：登録商標）を搭載するテレビジョン受像器（以下において、単にテレビと記載する）が普及している。ＨＤＭＩの普及にともない、ＨＤＭＩケーブルを介してさまざまなソース機器をシンク機器に接続することが一般的になっている。近年、ＨＤＭＩケーブルを介して接続可能なソース機器の種類は、レコーダ、チューナ、オーディオプレーヤなどのＡＶ機器に加えて、携帯型ゲーム機器、携帯型デジタルオーディオプレーヤ、スマートフォンなどの携帯機器にまで拡大している。
【０００３】
現在、ＨＤＭＩ接続を確立するためには、上述のようにＨＤＭＩケーブルを用いることが一般的であり、このことは、各機器をそれぞれの場所に設置する際の自由度を低下させる可能性がある。たとえば、ソース機器である携帯端末をシンク機器であるテレビにＨＤＭＩ接続し、携帯端末によって再生されるコンテンツをテレビに表示させるような使い方を想定すると、各機器を設置する際の自由度を高めることが望まれる。
【０００４】
特許文献１には、コンテンツ出力装置に接続される無線送信機と、表示装置に接続される無線受信機とを備える無線伝送システム（以下において、単に無線システムと記載する）が記載されている。無線送信機と無線受信機との間で無線通信を行うことにより、コンテンツ出力装置から出力したコンテンツを表示装置に表示させる。
【先行技術文献】
【特許文献】
【０００５】
【特許文献１】特開２０１１−７７６４０号公報（２０１１年４月１４日公開）
【発明の概要】
【発明が解決しようとする課題】
【０００６】
しかしながら、特許文献１に記載に無線システムにおいては、２つの無線システムが近接している場合、これら２つの無線システムの間でＣＥＣコマンドの混信が生じるという問題があった。以下、無線送信機ＡＴと無線受信機ＡＲとにより構成される第１の無線システムを無線システムＡ、無線送信機ＢＴと無線受信機ＢＲとにより構成される第２の無線システムを無線システムＢとして、この問題について説明する。
【０００７】
すなわち、無線送信機ＡＴに接続されたシンク機器（コンテンツ表示装置）がＣＥＣコマンドを発行すると、このＣＥＣコマンドは、無線送信機ＡＴから無線受信機ＡＲに無線送信され、無線受信機ＡＲに接続された各ソース機器（コンテンツ出力装置）に到達する。ここで、無線受信機ＢＲが無線送信機ＡＴに近接している場合、無線受信機ＢＲも、無線送信機ＡＴから無線送信されたＣＥＣコマンドを受信してしまう。このため、本来、無線受信機ＡＲ、及び、無線受信機ＡＲに接続された各ソース機器にのみ到達するべきコマンドが、無線受信機ＢＲ、及び、無線受信機ＢＲに接続された各ソース機器にも到達してしまうという事態が生じる。
【０００８】
もし、無線受信機ＡＲ、及び、無線受信機ＡＲに接続された各ソース機器と、無線受信機ＢＲ、及び、無線受信機ＢＲに接続された各ソース機器とに、単一のシンク機器を起点とする物理アドレスが割り当てられている場合（すなわち、無線送信機ＡＴと無線送信機ＢＴとに単一のシンク機器が接続されている場合）、上記のような事態が生じてもＣＥＣコマンドの混信が生じることはない。何故なら、無線受信機ＡＲ、及び、無線受信機ＡＲに接続された各ソース機器と、無線受信機ＢＲ、及び、無線受信機ＢＲに接続された各ソース機器との間で物理アドレスの重複が生じ得ないので、これらの機器は、ＣＥＣコマンドに含まれる物理アドレスを参照してそのＣＥＣコマンドが自分宛てであるか否かを適切に判別することができるからである。
【０００９】
しかしながら、無線受信機ＡＲ、及び、無線受信機ＡＲに接続された各ソース機器と、無線受信機ＢＲ、及び、無線受信機ＢＲに接続された各ソース機器とに、異なるシンク機器を起点とする物理アドレスが割り当てられている場合（すなわち、無線送信機ＡＴと無線送信機ＢＴとに異なるシンク機器が接続されている場合）、上記のような事態が生じるとＣＥＣコマンドの混信が起こる。何故なら、無線受信機ＡＲ、及び、無線受信機ＡＲに接続された各ソース機器と、無線受信機ＢＲ、及び、無線受信機ＢＲに接続された各ソース機器との間で物理アドレスの重複が生じるため、これらの機器は、ＣＥＣコマンドに含まれる物理アドレスを参照してそのＣＥＣコマンドが自分宛てのコマンドであるか否かを適切に判別することができないからである。
【００１０】
本発明は、上記の課題を解決するためになされたものであり、その目的は、上記のような混信を生じることのない無線システムを実現することにある。
【課題を解決するための手段】
【００１１】
上記の課題を解決するため、本発明の一態様に係る無線システムは、シンク機器に有線接続される第１の無線通信機器と、少なくとも１つのソース機器に有線接続される第２の無線通信機器とを含み、上記第１の無線通信機器と上記第２の無線通信機器とが無線通信を行うことによって、上記ソース機器から供給されるコンテンツを上記シンク機器に伝送する無線システムであって、上記第１の無線通信機器は、当該無線システムを他の無線システムから識別するための識別情報を保持する第１の保持部と、上記識別情報を含むコマンドを発行する発行手段と、上記発行手段が発行したコマンドを無線送信する送信手段とを備え、上記第２の無線通信機器は、上記第１の保持部が保持する識別情報と同一の識別情報を保持する第２の保持部と、無線送信されたコマンドを受信する受信手段と、上記受信手段が受信したコマンドに上記第２の保持部が保持する識別情報と同一の識別情報が含まれているときに限って、当該コマンドを実行する実行手段とを備えていることを特徴としている。
【００１２】
上記の構成によれば、上記第２の無線通信機器が備える実行手段は、受信したコマンドに上記第２の保持部が保持する識別情報と同一の識別情報が含まれているときに限って当該コマンドを実行する。言い換えれば、上記実行手段は、上記第１の無線通信機器が備える送信手段が送信したコマンドのみを実行する。したがって、ＨＤＭＩ接続を実現する無線システムが複数存在する際に、上記無線システムは、無線システム間における無線通信の混信を生じさせない。
【００１３】
また、上記無線システムにおいて、上記第１の無線通信機器は、物理アドレスを記憶する第１の記憶部を備え、上記発行手段は、上記物理アドレスを含むコマンドを発行し、上記第２の無線通信機器は、第１の記憶部が記憶する物理アドレスと同一の物理アドレスを記憶する第２の記憶部を備え、上記実行手段は、上記受信手段が受信したコマンドに上記第２の保持部が保持する識別情報と同一の識別情報が含まれており、かつ、上記受信手段が受信したコマンドに上記第２の記憶部が記憶する物理アドレスと同一の物理アドレスが含まれているときに限って、当該コマンドを実行することが好ましい。
【００１４】
上記の構成によれば、上記第２の無線通信機器が備える実行手段は、上記受信手段が受信したコマンドに上記第２の保持部が保持する識別情報と同一の識別情報が含まれており、かつ、上記受信手段が受信したコマンドに上記第２の記憶部が記憶する物理アドレスと同一の物理アドレスが含まれているときに限って当該コマンドを実行する。したがって、ＨＤＭＩ接続を実現する無線システムが複数存在し、それぞれの無線システムのうち複数の無線システムが同一の識別情報を保持している場合でも、上記無線システムは無線通信の混信を生じさせない。
【００１５】
また、上記無線システムにおいて、上記第１の保持部および上記第２の保持部は、それぞれ、ディップスイッチであることが好ましい。
【００１６】
上記の構成によれば、ユーザは、ディップスイッチの設定を変更することによって、上記第１の保持部および上記第２の保持部がそれぞれ保持する同一の識別情報を容易に変更可能である。したがって、複数の上記無線システムが存在し、それぞれの上記無線システムが保持するそれぞれの識別情報が重複していても、ユーザは、それぞれの識別情報が重複しないように容易に設定変更できる。
【００１７】
また、上記無線システムにおいて、上記第１の保持部および上記第２の保持部はそれぞれメモリであって、ユーザが上記第１の無線通信機器に対して特定の操作を行った際に、上記送信手段は第１の保持部が保持している識別情報を送信し、上記受信手段は上記送信手段が送信した識別情報を受信し、第２の保持部は上記受信手段が受信した識別情報を保持する構成であってもよい。
【００１８】
上記の構成によれば、ユーザが上記第１の無線通信機器に対して特定の操作を行うことによって、上記第１の保持部に保持されている識別情報は、上記送信手段によって無線送信され、上記第２の保持部に書き込まれる。すなわち、ユーザは、上記第１の保持部および上記第２の保持部がそれぞれ保持する識別情報を動機する際に、上記第１の無線通信機器に対して特定の操作を行うだけでよい。したがって、ユーザの使い勝手が向上する。
【００１９】
また、上記無線システムにおいて、上記コマンドは、コンテンツを供給するソース機器を切り替えることを上記第２の無線通信機器に指示するコマンドであることが好ましい。
【００２０】
上記の構成によれば、上記第２の無線通信機器は当該コマンドを実行し、上記ソース機器を切り替えることが可能である。
【００２１】
上述した無線システムおよびにおいて、識別情報を含むコマンドを送信する方向は、シンク機器に有線接続されている無線通信機器から、少なくとも１つのソース機器に接続されている無線通信機器への方向に限定されるものではない。無線システムは、少なくとも１つのソース機器に接続されている無線通信機器から、シンク機器に有線接続されている無線通信機器へ識別情報を含むコマンドを送信する構成であってもよい。
【００２２】
すなわち、少なくとも１つのソース機器に有線接続される第１の無線通信機器と、シンク機器に有線接続される第２の無線通信機器とを含み、上記第１の無線通信機器と上記第２の無線通信機器とが無線通信を行うことによって、上記ソース機器から供給されるコンテンツを上記シンク機器に伝送する無線システムであって、上記第１の無線通信機器は、当該無線システムを他の無線システムから識別するための識別情報を保持する第１の保持部と、上記識別情報を含むコマンドを発行する発行手段と、上記発行手段が発行したコマンドを無線送信する送信手段とを備え、上記第２の無線通信機器は、上記第１の保持部が保持する識別情報と同一の識別情報を保持する第２の保持部と、無線送信されたコマンドを受信する受信手段と、上記受信手段が受信したコマンドに上記第２の保持部が保持する識別情報と同一の識別情報が含まれているときに限って、当該コマンドを実行する実行手段と、を備えている無線システムも本発明の技術範囲に含まれる。
【発明の効果】
【００２３】
このように、本発明の一態様に係る無線システムは、シンク機器に有線接続される第１の無線通信機器と、少なくとも１つのソース機器に有線接続される第２の無線通信機器とを含み、上記第１の無線通信機器と上記第２の無線通信機器とが無線通信を行うことによって、上記ソース機器から供給されるコンテンツを上記シンク機器に伝送する無線システムであって、上記第１の無線通信機器は、当該無線システムを他の無線システムから識別するための識別情報を保持する第１の保持部と、上記識別情報を含むコマンドを発行する発行手段と、上記発行手段が発行したコマンドを無線送信する送信手段とを備え、上記第２の無線通信機器は、上記第１の保持部が保持する識別情報と同一の識別情報を保持する第２の保持部と、無線送信されたコマンドを受信する受信手段と、上記受信手段が受信したコマンドに上記第２の保持部が保持する識別情報と同一の識別情報が含まれているときに限って、当該コマンドを実行する実行手段とを備えている。
【００２４】
上記無線システムによれば、ＨＤＭＩ接続を実現する無線システムが複数存在する際に、無線システム間における無線通信の混信を生じさせない。
【図面の簡単な説明】
【００２５】
【図１】本発明の一実施形態に係る無線システムを含むシステムの概略を示すブロック図である。
【図２】本発明の一実施形態に係る無線システムの概略を示すブロック図である。
【図３】本発明の一実施形態に係る無線システムを含むシステムにおいて、複数の無線アダプタがコマンドを受信した際の流れを示すフローチャートである。
【発明を実施するための形態】
【００２６】
本発明の一実施形態（以下、「本実施形態」と記載）に係る無線システムについて、図１から図３を参照しながら以下に説明する。
【００２７】
図１は、本実施形態に係る無線システム１、５を含むＨＤＭＩシステムの概略を示すブロック図である。本実施形態においてＨＤＭＩシステムとは、ＨＤＭＩによって互いに接続されている１つのシンク機器と複数のソース機器とを含むシステムを意味する。以下において、ＨＤＭＩシステムのことをＨＤＭＩツリーとも表現する。また、本実施形態においてＨＤＭＩ接続とは、ＨＤＭＩ規格に準拠するＴＭＤＳ（Transition Minimized Differential Signaling）およびＣＥＣ（Consumer Electronics Control）などの各信号を伝送可能な有線または無線による接続を意味する。図１において、実線はコンテンツを伝送するＴＭＤＳラインを表し、破線はＨＤＭＩシステムを制御するＣＥＣコマンドを伝送するＣＥＣラインを表す。
【００２８】
図１に示すように、シンク機器であるテレビ３０は、２つのＨＤＭＩ端子を有しており、一方の端子（ＨＤＭＩ接続１）に無線アダプタ１０が有線接続され、他方の端子（ＨＤＭＩ接続２）に無線アダプタ５０が接続されている。
【００２９】
無線アダプタ１０は、無線アダプタ２０と共に第１の無線システム１を構成する。無線アダプタ２０には、レコーダ４０ａ、チューナ４０ｂ、およびオーディオ４０ｃに接続されており、無線システム１は、これらのソース機器とテレビ３０との間の通信に供される。一方、無線アダプタ５０は、無線アダプタ６０と共に第２の無線システム５を構成する。無線アダプタ６０には、ＰＣ７０ａおよびスマートフォン７０ｂが接続されており、無線システム５は、これらのソース機器とテレビ３０との間の通信に供される。物理アドレスなどを含め、本ＨＤＭＩシステムの詳細については後述する。
【００３０】
（無線システム１の構成）
図２は、無線システム１の構成を示すブロック図である。図１と同様に、実線はＴＭＤＳラインを表し、破線はＣＥＣラインを表す。
【００３１】
図２に示すように、無線システム１は、第１の無線通信機器である無線アダプタ１０、および、第２の無線通信機器である無線アダプタ２０を備える。無線アダプタ１０が備えるＨＤＭＩ端子１１と、テレビ３０が備えるＨＤＭＩ端子とはＨＤＭＩケーブルによって有線接続されている。無線アダプタ２０が備えるＨＤＭＩ端子２１ａと、レコーダ４０ａが備えるＨＤＭＩ端子とはＨＤＭＩケーブルによって有線接続されている。同様に、ＨＤＭＩ端子２１ｂと、チューナ４０ｂが備えるＨＤＭＩ端子とはＨＤＭＩケーブルによって有線接続され、ＨＤＭＩ端子２１ｃと、オーディオ４０ｃが備えるＨＤＭＩ端子とはＨＤＭＩケーブルによって有線接続されている。当然のことながら、無線アダプタ２０が備えるＨＤＭＩ端子の数は３つに限られない。ＨＤＭＩ規格に準拠していれば、製造者は当該ＨＤＭＩ端子の数を任意に設定可能である。なお、実線はＴＭＤＳラインを表し、破線はＣＥＣラインを表す。
【００３２】
一方、無線アダプタ１０が備える無線通信部１３と、無線アダプタ２０が備える無線通信部２３とは、互いに無線通信を行う。
【００３３】
なお、ＨＤＭＩケーブルは、上述したＴＭＤＳラインおよびＣＥＣラインに加えて、ＥＤＩＤ（Extended Display Identification Data）を伝送するＤＤＣ（Display Data Cannel）ラインと、ＨＰＤ（Hot Plug Detect）信号を伝送するＨＰＤラインと、接続検知のためにソース機器によって電圧（対グランド電位）が５Ｖに制御される５Ｖ電力ラインとを備えている。しかし、本実施形態では本発明の特徴点に関わるＴＭＤＳラインおよびＣＥＣラインに関して説明し、それ以外の各ラインに関する説明は省略する。
【００３４】
（無線アダプタ１０）
図２に示すように、無線アダプタ１０はＨＤＭＩ通信処理部１２、無線通信部１３、ディップスイッチ１４、および、リモコン信号受信部を備えている。
【００３５】
（ディップスイッチ１４）
第１の保持部であるディップスイッチ１４は、無線システム１を他の無線システムから識別するための識別情報を保持するための保持部である。識別情報は、たとえば［１］、［２］、［３］・・・というように１０進数の数字によって表現されてもよいし、［Ａ］、［Ｂ］、［Ｃ］・・・というようにアルファベットによって表現されてもよい。本実施形態においては、識別情報がアルファベットによって表現される情報であるとして説明する。
【００３６】
ディップスイッチ１４は、それぞれが”０”または”１”の状態を表す複数個のスイッチから構成される。ディップスイッチ１４を構成するスイッチの個数は限定されない。本実施形態では、ディップスイッチ１４は４つのスイッチを備える。したがって、ディップスイッチ１４は、［Ａ］、［Ｂ］、・・・、［Ｐ］の１６個の識別情報を保持可能である。
【００３７】
ディップスイッチ１４が保持する識別情報は、無線システム１を他の無線システムから識別するための情報であるから、ディップスイッチ１４が保持する識別情報と、後述する無線アダプタ２０が備えるディップスイッチ２４が保持する識別情報とを一致させる必要がある。製造者は、無線システム１を出荷する際に、ディップスイッチ１４およびディップスイッチ２４がそれぞれ保持する識別情報を、［Ａ］、［Ｂ］、・・・、［Ｐ］のうちいずれか１つに設定する。なお、製造者は、出荷する各無線システムに保持させる識別情報を、無線システム毎に異なる識別情報に設定してもよい。このように設定しておけば、例えば連続して出荷する１６台の無線システムは、それぞれ［Ａ］、［Ｂ］、・・・、［Ｐ］の異なる識別情報を保持する。したがって、本実施形態に係る無線システムは、複数の無線システムが近接する場合でも、それぞれの無線システムが保持する識別情報が重複する可能性を抑制可能である。
【００３８】
本実施形態では、ディップスイッチ１４およびディップスイッチ２４が保持する識別情報は［Ａ］であるとして説明する。ディップスイッチ１４は、この保持する識別情報［Ａ］をＨＤＭＩ通信処理部１２に供給する。
【００３９】
（リモコン信号受信部１５）
無線システム１は、ユーザが無線システム１を制御するため制御手段としてリモコンを備えている。上記リモコンは、ユーザが選択する制御を指示するリモコン信号を出力する。リモコン信号受信部１５は、リモコン信号を受信し、受信したリモコン信号をＨＤＭＩ通信処理部１２に供給する。
【００４０】
上記リモコンを用いて指示可能な無線システム１の制御の一例は、後述するコンテンツを出力するソース機器の切り替えである。また、無線アダプタ２０に接続されているレコーダ４０ａ、チューナ４０ｂおよびオーディオ４０ｃがＣＥＣコマンドに対応する機器であれば、当該各機器の動作を上記リモコンによって制御してもよい。たとえば、レコーダ４０ａの再生、停止、録画開始および録画停止の制御を、ユーザは、上記リモコンを用いて指示してもよい。
【００４１】
（ＨＤＭＩ通信処理部１２）
発行手段であるＨＤＭＩ通信処理部１２は、リモコン信号受信部１５から供給されるリモコン信号に基づいて当該リモコン信号の指示に対応するＣＥＣコマンドを発行する発行手段である。ＨＤＭＩ通信処理部１２は、発行するＣＥＣコマンドを無線通信部１３に供給する。
【００４２】
本実施形態において、当該リモコン信号は、コンテンツを出力するソース機器の切り替えを指示するリモコン信号である。したがって、ＨＤＭＩ通信処理部１２が発行するＣＥＣコマンドは、コンテンツを出力するソース機器の切り替えを指示するＣＥＣコマンドとなる。ＨＤＭＩ通信処理部１２は、当該ＣＥＣコマンドを発行する際に、ディップスイッチ１４から供給される識別情報に基づいて、識別情報［Ａ］を含むＣＥＣコマンドをベンダコマンドとして発行する。コンテンツを出力するソース機器の切り替えについては後述する。
【００４３】
ＨＤＭＩ通信処理部１２は、ＣＥＣラインを介して、テレビ３０が発行するＣＥＣコマンドを受信するためのインターフェースでもある。ＨＤＭＩ通信処理部１２は、受信したＣＥＣコマンドを無線通信部１３に出力する。また、ＨＤＭＩ通信処理部１２は、無線通信部１３からＣＥＣラインおよびＴＭＤＳラインを介して入力されるＣＥＣコマンドおよびコンテンツを、テレビ３０に出力するインターフェースでもある。
【００４４】
（無線通信部１３）
送信手段である無線通信部１３は、無線アダプタ２０が備える無線通信部２３との間で、ＣＥＣコマンドおよびコンテンツを無線伝送するために電磁波を放射および検出する。より具体的には、無線通信部１３は、ＨＤＭＩ通信処理部１２からソース機器の切り替えを指示し、かつ、識別情報［Ａ］を含むＣＥＣコマンドを受信し、当該ＣＥＣコマンドを電磁波に変換して放射する。
【００４５】
当然のことながら、無線通信部１３は、上述のベンダコマンドだけでなく、テレビ３０から伝送され、ＨＤＭＩ通信処理部１２を介して受信するＣＥＣコマンドも電磁波に変換して放射する。
【００４６】
また、無線通信部２３が放射する電磁波を検出する。後述するように無線通信部２３が放射する電磁波は、ソース機器が出力するＣＥＣコマンドおよびコンテンツを表す電気信号を電磁波に変換したものである。無線通信部１３は、検出した電磁波をＣＥＣコマンドおよびコンテンツを表す電気信号に変換してＨＤＭＩ通信処理部１２に出力する。
【００４７】
（無線アダプタ２０）
図２に示すように、無線アダプタ２０はＨＤＭＩ通信処理部２２、無線通信部２３、保持部であるディップスイッチ２４、および、切替手段であるソース切替部を備えている。
【００４８】
（ディップスイッチ２４）
第２の保持部であるディップスイッチ２４は、無線システム１を他の無線システムから識別するための識別情報を保持するための保持部である。本実施形態において、無線アダプタ２０が備えるディップスイッチ２４は、無線アダプタ１０が備えるディップスイッチ１４と同様の構成である。ディップスイッチ２４は、ディップスイッチ１４と同様に識別情報［Ａ］を保持し、この識別情報［Ａ］をＨＤＭＩ通信処理部２２に供給する。
【００４９】
（保持部の変形例）
本実施形態において、第１の保持部および第２の保持部は、無線システム１に固有の情報である識別情報を保持可能な構成であればどのような構成であってもよい。
【００５０】
例えば、第１の保持部および第２の保持部は、それぞれが任意の識別情報を保持可能なメモリであってもよい。ユーザが、無線アダプタ１０に対して特定の操作を行うと、無線通信部１３は、第１の保持部が保持している識別情報を無線送信する。無線通信部２３は、無線送信された識別情報を受信しＨＤＭＩ通信処理部２２に供給する。ＨＤＭＩ通信処理部２２は、この識別情報を第２の保持部に書き込む。
【００５１】
上記の構成によれば、ユーザが無線アダプタ１０に対して特定の操作を行うことによって、第１の保持部が保持している識別情報は無線送信され、第２の保持部に書き込まれる。すなわち、第１の保持部および第２の保持部がそれぞれ保持する識別情報を同一にするために、ユーザは無線アダプタ１０を操作するだけでよい。したがって、ユーザの使い勝手が向上する。
【００５２】
上記特定の操作は、第１の保持部および第２の保持部がそれぞれ保持する識別情報を同期するトリガとなる操作であればよく、その操作は特に限定されるものではない。たとえば、無線アダプタ１０が識別情報同期スイッチを備えており、ユーザが識別情報同期スイッチを所定の時間（例えば１０秒間）以上押下することによって、特定の操作が実行されてもよい。別の例としては、ユーザが、リモコンが備える識別情報同期スイッチを押下することによって、特定の操作が実行されてもよい。
【００５３】
また、特定の操作が実行された際、無線通信部１３が識別情報を無線送信する前に、第１の保持部が保持する識別情報は更新されてもよい。この際、識別情報を更新する方法は特に限定されるものではない。当該構成によれば、ユーザが特定の操作を実行することによって、第１の保持部が保持する識別情報は更新され、更新された識別情報が自動的に第２の保持部に書き込まれる。したがって、ユーザが無線アダプタ１０に対して特定の操作を行うだけで、第１の保持部および第２の保持部が保持する識別情報を更新し、同期することが可能である。
【００５４】
上述した第１の保持部が保持する識別情報を第２の保持部に書き込む工程は、例えば、無線アダプタ１０と無線アダプタ２０とを互いにペアリングする工程である。この場合、無線アダプタ１０から送信された識別情報を、無線アダプタ２０以外の通信機器が受信してしまうことを避けるために、以下のような構成を採用することが好ましい。すなわち、例えば、ペアリングを実施する際に無線アダプタ２０の受信感度を低下させることによって、又は、ペアリングを実施する際に無線アダプタ１０の送信強度を低下させることによって、無線アダプタ１０と無線アダプタ２０とが互いに近接している場合に限って識別情報の送受信が行われる構成を採用することが好ましい。あるいは、無線アダプタ１０と無線アダプタ２０とを他の通信装置から隔離した状態（他の通信装置を無線アダプタ１０のサービスエリア外に配置した状態）でペアリングを実施するようにしてもよい。
【００５５】
（無線通信部２３）
受信手段である無線通信部２３は、所定の周波数帯域の電磁波を検出および放射する。所定の周波数帯域には、無線通信部１３が放射した電磁波と、それ以外の電磁波が含まれる。たとえば図１に示すように、テレビ３０を含むＨＤＭＩツリーが無線システム１と無線システム５をと含む場合、無線通信部２３は、無線アダプタ５０が放射するＣＥＣコマンドを表す電磁波を検出し得る。無線通信部２３は、無線通信部１３が放射した電磁波以外の電磁波を含め、検出する全ての電磁波を電気信号に変換してＨＤＭＩ通信処理部２２に出力する。
【００５６】
所定の周波数帯域には、当然ながら無線通信部１３が放射するＣＥＣコマンドを表す電磁波が含まれている。無線通信部２３が、無線通信部１３が放射するＣＥＣコマンドを表す電磁波を検出する場合について以下に説明する。
【００５７】
無線通信部２３が無線通信部１３が放射する電磁波を検出すると、検出した電磁波をＣＥＣコマンドを表す電気信号に変換してＨＤＭＩ通信処理部２２に出力する。無線通信部１３が放射する電磁波は、ソース機器の切り替えを指示し、かつ、識別情報［Ａ］を含むＣＥＣコマンドを電気信号から電磁波に変換したものである。したがって、無線通信部２３がＨＤＭＩ通信処理部２２に出力するＣＥＣコマンドは、ソース機器の切り替えを指示し、かつ、識別情報［Ａ］を含む。
【００５８】
また、無線通信部２３は、ＨＤＭＩ通信処理部２２からＣＥＣラインおよびＴＭＤＳラインを介して入力されるＣＥＣコマンドおよびコンテンツを、電磁波に変換して放射する。
【００５９】
（ＨＤＭＩ通信処理部２２）
実行手段であるＨＤＭＩ通信処理部２２は、無線通信部２３によって電磁波から変換された電気信号を受信する。当該電気信号は、無線アダプタ１０が備える無線通信部１３から伝送されたＣＥＣコマンドを表す電気信号と、無線アダプタ１０以外の機器から伝送されたなんらかの電気信号とを含んでいる。ＨＤＭＩ通信処理部２２は、ＣＥＣコマンドを受信した際に、受信したコマンドが含む識別情報と、ディップスイッチ２４が保持する識別情報とが同一であるときに限って、受信したコマンドを実行する。具体的には、ディップスイッチ２４が保持する識別情報は［Ａ］なので、ＨＤＭＩ通信処理部２２が受信したコマンドが識別情報［Ａ］を含むときにかぎって、ＨＤＭＩ通信処理部２２は受信したコマンドを実行する。なお、コマンド実行の詳細なフローについては、図３を参照しながら後述する。
【００６０】
上記の構成によれば、ＨＤＭＩ通信処理部２２は、ＨＤＭＩ通信処理部１２が発行し無線通信部１３が送信したＣＥＣコマンドのみを実行する。したがって、無線システム１に近接して、他の無線システムが存在している場合であっても、無線システム１と、他の無線システムとの間において混信が生じることはない。
【００６１】
ＨＤＭＩ通信処理部２２が受信するＣＥＣコマンドが、無線アダプタ２０に接続されているソース機器の切り替えを指示するＣＥＣコマンドであれば、ＨＤＭＩ通信処理部２２は、上記ＣＥＣコマンドの指示に従ってソース機器を切り替えるようにソース切替部２５を制御する。
【００６２】
また、ＨＤＭＩ通信処理部２２は、ＣＥＣラインおよびＴＭＤＳラインを介してソース切替部２５から供給されるＣＥＣコマンドおよびコンテンツを、無線通信部１３に出力する。
【００６３】
（ソース切替部２５）
ソース切替部２５は、ＨＤＭＩ通信処理部２２に出力するコンテンツを切り替える切替手段である。図２に示すように、ソース切替部２５の一方の側には、ＨＤＭＩ端子２１ａを介してレコーダ４０ａが接続され、ＨＤＭＩ端子２１ｂを介してチューナ４０ｂが接続され、ＨＤＭＩ端子２１ｃを介してオーディオ４０ｃがＨＤＭＩケーブルによって接続されている。すなわち、３本のＨＤＭＩケーブルがソース切替部２５の一方の側に接続されている。一方、ソース切替部２５の他方の側には、ＨＤＭＩケーブルの各ラインに対応する配線によってＨＤＭＩ通信処理部２２が接続されている。
【００６４】
ソース切替部２５は、各ソース機器と接続されている３本のＴＭＤＳラインからいずれか１本のＴＭＤＳラインを選択し、当該ＴＭＤＳラインと、ＨＤＭＩ通信処理部２２につながるＴＭＤＳラインとを接続する。言い換えると、ソース切替部２５は、３つのソース機器から、コンテンツを出力する１つのソース機器を選択するスイッチである。図２に示す状態は、ソース切替部２５が、コンテンツを出力するソース機器としてレコーダ４０ａを選択している状態である。この状態において、レコーダ４０ａが再生するコンテンツが、無線システム１を介してテレビ３０に出力される。
【００６５】
ＴＭＤＳラインとは対照的に、ＣＥＣラインは、常に全てのソース機器に接続されている。すなわち、図２に示すように、ソース切替部２５の一方の側のＣＥＣライン（ソース切替部２５と各ソース機器とを接続する３本のＣＥＣライン）と、ソース切替部２５の他方の側のＣＥＣラインとは常に接続されている。
【００６６】
（ＣＥＣコマンドによるソース機器の切り替え）
上述したように、ＨＤＭＩ通信処理部２２が受信したＣＥＣコマンドが、コンテンツを出力するソース機器の切り替えを指示するＣＥＣコマンドであれば、ＨＤＭＩ通信処理部２２は、上記ＣＥＣコマンドの指示に従ってソース機器を切り替えるようにソース切替部２５を制御する。
【００６７】
たとえば、ソース機器をチューナ４０ｂに切り替えるＣＥＣコマンドをＨＤＭＩ通信処理部２２が受信すると、ＨＤＭＩ通信処理部２２は、チューナ４０ｂが接続されるＴＭＤＳラインを選択するようにソース切替部２５を制御する。当該制御によって、ソース切替部２５は、ＨＤＭＩ通信処理部２２が接続されるＴＭＤＳラインと、チューナ４０ｂが接続されるＴＭＤＳラインとを接続する。この結果、チューナ４０ｂが再生するコンテンツが、無線システム１を介してテレビ３０に出力される。
【００６８】
（第１のＨＤＭＩツリー）
次に、図１を参照しながら本実施形態に係る第１のＨＤＭＩツリーについて説明する。図１において、実線はコンテンツを伝送するＴＭＤＳラインを表し、破線は、ＨＤＭＩシステムを制御するＣＥＣコマンドを伝送するＣＥＣラインを表す。実線に付した矢印が表すように、各ソース機器が出力するコンテンツは、シンク機器へ入力される。すなわち、コンテンツは単一方向に伝送される。それに対して、破線に付した矢印が表すように、ＣＥＣコマンドは双方向に伝送される。
【００６９】
テレビ３０が備えるＨＤＭＩ接続１端子と、無線アダプタ１０とがＨＤＭＩケーブルによって有線接続されている。また、無線アダプタ２０と、レコーダ４０ａ、チューナ４０ｂおよびオーディオ４０ｃの各機器とが、それぞれＨＤＭＩケーブルによって有線接続されている。それに対して、無線アダプタ１０および無線アダプタ２０は、互いに無線通信を行う。このように、テレビ３０、ならびに、レコーダ４０ａ、チューナ４０ｂおよびオーディオ４０ｃは離間している。
【００７０】
一方、テレビ３０が備えるＨＤＭＩ接続２端子と、無線アダプタ５０とがＨＤＭＩケーブルによって有線接続されている。また、無線アダプタ６０と、ＰＣ７０ａおよびスマートフォン７０ｂとが、それぞれＨＤＭＩケーブルによって有線接続されている。それに対して、無線アダプタ５０および無線アダプタ６０は、互いに無線通信を行う。このように、テレビ３０、ならびに、ＰＣ７０ａおよびスマートフォン７０ｂは離間している。
【００７１】
このように第１のＨＤＭＩツリーは、本実施形態に係る無線システム１および無線システム５を備えている。上述の通り、無線システム１の識別情報（無線アダプタ１０および無線アダプタ２０が保持する識別情報）は［Ａ］である。一方、無線システム５の識別情報（無線アダプタ５０および無線アダプタ６０が保持する識別情報）は［Ｂ］である。したがって、無線システム１と、無線システム５との間において無線通信が混信することはない。言い換えると、ＨＤＭＩ接続を実現する無線システムが複数存在する際に、本実施形態に係る無線システムは、無線システム間における無線通信の混信を生じさせない。
【００７２】
（第１のＨＤＭＩツリーと第２のＨＤＭＩツリーとの混信）
図示しない第２のＨＤＭＩツリーは、シンク機器であるテレビＣと、ソース機器であるレコーダＣおよびチューナＣとが、本実施形態に係る無線システムＣを介してＨＤＭＩ接続されているＨＤＭＩツリーである。無線システムＣは、テレビＣに接続されている無線アダプタＣと、レコーダＣおよびチューナＣとそれぞれ接続されている無線アダプタ１２０とを備える。第２のＨＤＭＩツリーは、第１のＨＤＭＩツリーに近接して設置されており、第１のＨＤＭＩツリーが備える無線システム１および無線システム５と、第２のＨＤＭＩツリーが備える無線システムＣとは無線通信可能な距離である。
【００７３】
このような状況では、異なるＨＤＭＩツリーが存在するため、第１のＨＤＭＩツリーに含まれるソース機器に割り当てられる物理アドレスと、第２のＨＤＭＩツリーに含まれるソース機器に割り当てられる物理アドレスとが重複する虞がある。有線接続のみで構成されるＨＤＭＩツリーであれば、異なるＨＤＭＩツリー間において物理アドレスが重複しても問題にはならない。しかし、それぞれが無線接続を含む複数のＨＤＭＩツリー間において物理アドレスが重複すると、無線通信に混信が生じ正しく無線通信が行えなくなる。本実施形態に係る無線システムの識別情報は、この異なるＨＤＭＩツリー間における混信を解消する。
【００７４】
第１のＨＤＭＩツリーおよび第２のＨＤＭＩツリーが同じ家庭内に存在し、第２のＨＤＭＩツリーが新しく設置されたＨＤＭＩツリーだとする。このような場合、それぞれのＨＤＭＩツリーを設置したユーザは同一人物、または、家族などの同居人である可能性が高い。ここでは、第１のＨＤＭＩツリーおよび第２のＨＤＭＩツリーを設置したユーザがユーザｘであるとする。この場合、ユーザｘは、第１のＨＤＭＩツリーの状況、具体的には、無線システム１が保持する識別情報が［Ａ］であり、無線システム５が保持する識別情報が［Ｂ］であることを知っている。したがって、ユーザｘは、無線システムＣが保持する識別情報を、たとえば［Ｃ］に設定すればよい。無線システムＣが保持する識別情報を［Ｃ］に設定するためには、２つの無線アダプタがそれぞれ備えるディップスイッチの設定を変更するだけでよい。したがって、ユーザｘは、この設定変更を容易に実行できる。このように設定すれば、無線システム１、無線システム５および無線システムＣが保持するそれぞれの識別情報は全て異なる。したがって、無線システム１、無線システム５および無線システムＣの各無線システム間における混信は生じない。
【００７５】
第２のＨＤＭＩツリーが、第１のＨＤＭＩツリーとは異なる家庭内に存在する場合、第２のＨＤＭＩツリーを設置したユーザ（以下においてユーザｙと記載する）は、第１のＨＤＭＩツリーを設置したユーザｘとはことなる。したがって、ユーザｙは第１のＨＤＭＩツリーの状況を知り得ない。このような場合に、たとえば無線システムＣが保持する識別情報が［Ａ］に設定されていれば、無線システム１と、無線システムＣと間における混信が生じる。しかし、ユーザｙは、無線システムＣと、他の無線システムとが混信していることに気がついた時点で、無線システムＣが保持する識別情報を、たとえば［Ｃ］に変更すればよい。その結果、ユーザｙは、無線システムＣと、他の無線システムとの間における混信を解消できる。ユーザｘが混信に気がついた場合には、ユーザｘは、無線システム１および無線システム５のいずれか一方、または両方の識別情報を変更すればよい。この識別情報の変更によって、当該混信は解消される。
【００７６】
このように、ＨＤＭＩ接続を実現する無線システムが複数存在し、これらの複数の無線ステムがそれぞれシンク機器を備えている場合においても、本実施形態に係る無線システムは、無線システム間における無線通信の混信を生じさせない。
〔変形例〕
無線システム１の変形例である無線システムａについて、図１および図２を参照しながら説明する。無線システムａの主なブロック構成は、無線システム１と同様である。したがって、無線システム１と同一の部材番号を、無線システムａの部材番号として用いる。
【００７７】
無線システムａにおいて、無線アダプタ１０が備えるＨＤＭＩ通信処理部１２が発行するＣＥＣコマンドは、識別情報に加えて無線システム１に割り当てられている物理アドレスを含んでいる。そこで、ＨＤＭＩツリーに含まれる各機器に割り当てられる物理アドレスについて説明する。
【００７８】
（物理アドレス）
ＨＤＭＩシステムを構成する各機器には、それぞれの機器に固有の物理アドレスが階層ごとに割り当てられる。この物理アドレスは、４つに区切られた数値を用いて［α，β，χ，δ］のように表記される識別番号である。ここで、α、β、χおよびδは４ビット、すなわち、０から１５までの１０進数の数字である。図１に示す第１のＨＤＭＩツリーを例にすると、シンク機器であるテレビ３０は物理アドレス［０，０，０，０］を有する機器である。
【００７９】
そして、テレビ３０に接続されている各機器には、ＨＤＭＩの物理アドレス割り当てルールに従い、それぞれの物理アドレスが割り当てられる。まず、テレビ３０にＨＤＭＩ接続されている機器には、［１，０，０，０］、［２，０，０，０］、［３，０，０，０］・・・というように、αが異なる物理アドレスが順次割り当てられる。したがって、無線アダ無線システム１の物理アドレスが［１，０，０，０］であり、無線システム２の物理アドレスが［２，０，０，０］である。
【００８０】
無線システム１および無線システム２に接続されている各機器にはβがそれぞれ異なる物理アドレスが割り当てられる。具体的には、無線システム１に接続されているレコーダ４０ａ、チューナ４０ｂおよびオーディオ４０ｃには、それぞれ［１，１，０，０］、［１，２，０，０］および［１，３，０，０］が割り当てられる。一方、無線システム２に接続されているＰＣ７０ａおよびスマートフォン７０ｂには、それぞれ［２，１，０，０］および［２，２，０，０］が割り当てられる。
【００８１】
仮にレコーダ４０ａに接続される機器があれば、それらの機器には［１，１，１，０］、［１，１，２，０］・・・というようにχが異なる物理アドレスが割り当てられる。そして、これらの機器に接続される機器には、［１，１，１，１］、［１，１，１，２］・・・というようにδが異なる物理アドレスが割り当てられる。
【００８２】
図示しない第２のＨＤＭＩツリーを例にすると、シンク機器であるテレビＣが物理アドレス［０，０，０，０］を有する。テレビＣには、無線システムＣが備える一方の無線アダプタである無線アダプタＣが有線接続されている。無線アダプタＣを含む無線システムＣには、物理アドレス［１，０，０，０］が割り当てられる。そして、無線システムＣが備える無線アダプタ１２０に有線接続されるレコーダＣおよびチューナＣには、それぞれ物理アドレス［１，１，０，０］および［１，２，０，０］が割り当てられる。
【００８３】
（ＨＤＭＩ通信処理部）
次に、無線システムａの構成について説明する。無線システムａと無線システム１の違いは、発行手段であるＨＤＭＩ通信処理部１２と、実行手段であるＨＤＭＩ通信処理部２２である。したがって、ここではＨＤＭＩ通信処理部１２およびＨＤＭＩ通信処理部２２について説明する。なお、無線システムａは、識別情報［Ａ］を保持するとし、物理アドレス［１，０，０，０］を割り当てられているとして説明する。
【００８４】
ＨＤＭＩ通信処理部１２は、図２に図示しない第１の記憶部を備えており、割り当てられた物理アドレス［１，０，０，０］を第１の記憶部に記憶する。そして、ＨＤＭＩ通信処理部１２は、ＣＥＣコマンドを発行する際に、ディップスイッチ１４から供給される識別情報［Ａ］と、第１の記憶部に記憶されている物理アドレス［１，０，０，０］を共に含むＣＥＣコマンドを発行する。
【００８５】
ＨＤＭＩ通信処理部２２は、図２に図示しない第２の記憶部を備えており、割り当てられた物理アドレス［１，０，０，０］を第２の記憶部に記憶する。そして、ＨＤＭＩ通信処理部２２は、無線通信を介して受信したＣＥＣコマンドに、ディップスイッチ２４が保持する識別情報［Ａ］と同一の識別情報が含まれており、かつ、ＣＥＣコマンドに第２の記憶部が記憶する物理アドレス［１，０，０，０］と同一の物理アドレスが含まれているときに限って、当該ＣＥＣコマンドを実行する。
【００８６】
上記の構成によれば、ＨＤＭＩ接続を実現する無線システムが複数存在し、それぞれの無線システムのうち複数の無線システムが同一の識別情報を保持している場合でも、上記無線システムは無線通信の混信を生じさせない。
【００８７】
（コマンド実行のフロー）
図３を参照しながら、ＨＤＭＩ通信処理部２２におけるコマンド実行のフローを説明する。ここでは、無線システム１、無線システム５および無線システムＣの各無線システムが、それぞれ本実施形態に係る無線システムの変形例の構成であるとして説明する。図３は、第１のＨＤＭＩツリーと、第２のＨＤＭＩツリーとが存在する際に、各無線アダプタが備えるＨＤＭＩ通信処理部がコマンドを実行する際のフローを示すフローチャートである。なお、以下において、「無線アダプタが備えるＨＤＭＩ通信処理部がコマンドを実行する」ことを、単に「無線アダプタがコマンドを実行する」とも表現する。
【００８８】
無線システム１が備える無線アダプタ１０および無線アダプタ２０が保持する識別情報は［Ａ］であり、無線システム１に割り当てられる物理アドレスは［１，０，０，０］である。無線システム５が備える無線アダプタ５０および無線アダプタ６０が保持する識別情報は［Ｂ］であり、無線システム５に割り当てられる物理アドレスは［２，０，０，０］である。無線システムＣが備える無線アダプタＣおよび無線アダプタ１２０が保持する識別情報は［Ｃ］であり、無線システムＣに割り当てられる物理アドレスは［１，０，０，０］である。
【００８９】
なお、図３に示すフローチャートにおいて、無線アダプタ２０、無線アダプタ６０および無線アダプタ１２０が、無線アダプタ１０から送信されるＣＥＣコマンドを受信した際のフローを太い実線で示している。
【００９０】
ステップＳ１：無線システム１が備える無線アダプタ１０がＣＥＣコマンドを送信する。当該ＣＥＣコマンドは、識別情報［Ａ］および物理アドレス［１，０，０，０］を含んでいる。
【００９１】
（無線アダプタ２０）
ステップＳ２１：無線アダプタ２０が備える無線通信部２３が、上記ＣＥＣコマンドを受信し、ＨＤＭＩ通信処理部２２に上記ＣＥＣコマンドを出力する。
【００９２】
ステップＳ２２：ＨＤＭＩ通信処理部２２は、上記ＣＥＣコマンドが含む物理アドレス［１，０，０，０］と、第２の記憶部が記憶する無線アダプタ２０の物理アドレス［１，０，０，０］とが同一であるかを判定する。ここで、当該判定結果は同一なのでＳ２３へ進む。なお、当該判定結果が等しくないと、ＨＤＭＩ通信処理部２２は上記ＣＥＣコマンドを破棄する。
【００９３】
ステップＳ２３：ＨＤＭＩ通信処理部２２は、上記ＣＥＣコマンドが含む識別情報［Ａ］と、無線アダプタ２０が保持する識別情報［Ａ］とが同一かを判定する。ここで、当該判定結果は同一なので、ＨＤＭＩ通信処理部２２は上記ＣＥＣコマンドを実行する。なお、当該判定結果が等しくないと、ＨＤＭＩ通信処理部２２は上記ＣＥＣコマンドを破棄する。
【００９４】
このように、ＨＤＭＩ通信処理部２２は、受信したＣＥＣコマンドにディップスイッチ２４が保持する識別情報と同一の識別情報が含まれており、かつ、受信したＣＥＣコマンドに第２の記憶部が記憶する物理アドレスと同一の物理アドレスが含まれているときに限って、当該コマンドを実行する。
【００９５】
なお、ＨＤＭＩ通信処理部２２において、ステップＳ２２およびステップＳ２３を実行する順番は上述の順番に限定されない。すなわち、ステップＳ２３をステップＳ２２より先に実行してもよい。また、無線システムが備えるＨＤＭＩ通信処理部１２が、物理アドレスを含まないコマンドを発行する構成に場合は、ＨＤＭＩ通信処理部２２におけるステップＳ２２は省略される。
【００９６】
（無線アダプタ６０）
ステップＳ６１：無線アダプタ６０が備える無線通信部が、上記ＣＥＣコマンドを受信し、無線アダプタ６０が備えるＨＤＭＩ通信処理部に上記ＣＥＣコマンドを出力する。
【００９７】
ステップＳ６２：無線アダプタ６０が備えるＨＤＭＩ通信処理部は、上記ＣＥＣコマンドが含む物理アドレス［１，０，０，０］と、無線アダプタ６０が備える第２の記憶部が記憶する物理アドレス［２，０，０，０］とが同一かを判定する。ここで、当該判定結果は同一ではないので、無線アダプタ６０が備えるＨＤＭＩ通信処理部６２は上記ＣＥＣコマンドを破棄する。当該判定結果が同一であるときは、Ｓ６３へ進む。
【００９８】
ステップＳ６３：無線アダプタ６０が備えるＨＤＭＩ通信処理部は、上記ＣＥＣコマンドが含む識別情報と、無線アダプタ６０が保持する識別情報［Ｂ］が同一かを判定する。ここで、当該判定結果が同一であれば、無線アダプタ６０が備えるＨＤＭＩ通信処理部は上記ＣＥＣコマンドを実行する。一方、当該判定結果が等しくないと、無線アダプタ６０が備えるＨＤＭＩ通信処理部は上記ＣＥＣコマンドを破棄する。
【００９９】
（無線アダプタ１２０）
ステップＳ１２１：無線アダプタ１２０が備える無線通信部が、上記ＣＥＣコマンドを受信し、無線アダプタ１２０が備えるＨＤＭＩ通信処理部に上記ＣＥＣコマンドを出力する。
【０１００】
ステップＳ１２２：無線アダプタ１２０が備えるＨＤＭＩ通信処理部は、上記ＣＥＣコマンドが含む物理アドレス［１，０，０，０］と、無線アダプタ１２０が備える第２の記憶部が記憶する物理アドレス［１，０，０，０］とが同一かを判定する。ここで、当該判定結果は同一なのでＳ１２３へ進む。なお、当該判定結果が等しくないと、無線アダプタ１２０が備えるＨＤＭＩ通信処理部は上記ＣＥＣコマンドを破棄する。
【０１０１】
ステップＳ１２３：無線アダプタ１２０が備えるＨＤＭＩ通信処理部は、上記ＣＥＣコマンドが含む識別情報［Ａ］と、無線アダプタ１２０が保持する識別情報［Ａ］が同一かを判定する。ここで、当該判定結果は同一ではないので、無線アダプタ１２０が備えるＨＤＭＩ通信処理部は上記ＣＥＣコマンドを破棄する。なお、当該判定結果が等しいと、無線アダプタ１２０が備えるＨＤＭＩ通信処理部は上記ＣＥＣコマンドを実行する。
【０１０２】
〔付記事項〕
上述した実施形態においては、テレビ３０等のシンク機器に有線接続された無線アダプタ１０からレコーダ４０ａなどのソース機器に有線接続された無線アダプタ２０に識別情報を含むコマンドを送信する構成について述べたが、本発明はこれに限定されるものではない。すなわち、ソース機器に有線接続された無線アダプタからシンク機器に有線接続された無線アダプタに識別情報を含むコマンドを送信する構成を採用してもよい。
【０１０３】
この場合、ソース機器に有線接続する無線アダプタとして、例えば、ディップスイッチ１４（第１保持部）と、当該識別情報を含むコマンドを発行するＨＤＭＩ通信処理部１２（発行手段）と、ＨＤＭＩ通信処理部１２が発行したコマンドを無線送信する無線通信部１３（送信手段）とを備えている無線アダプタを用いればよい。また、シンク機器に有線接続する無線アダプタとして、例えば、ディップスイッチ１４が保持する識別情報を保持するディップスイッチ２４（第２の保持部）と、無線送信されたコマンドを受信する無線通信部２３（受信手段）と、無線通信部２３が受信したコマンドにディップスイッチ２４が保持する識別情報と同一の識別情報が含まれているときに限って当該コマンドを実行するＨＤＭＩ通信処理部２２（実行手段）とを備えている無線アダプタを用いればよい。
【０１０４】
上記構成によれば、識別情報を含むコマンドは、少なくとも１つのソース機器に接続されている無線アダプタから、シンク機器に接続されている無線アダプタに無線送信される。
【０１０５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１０６】
本発明は、ＨＤＭＩ接続を実現する無線システムとして好適に用いることができる。
【符号の説明】
【０１０７】
１    無線システム
１０    無線アダプタ
１１    ＨＤＭＩ端子
１２    ＨＤＭＩ通信処理部
１３    無線通信部
１４    ディップスイッチ
１５    リモコン信号受信部
２０    無線アダプタ
２１    ＨＤＭＩ端子
２２    ＨＤＭＩ通信処理部
２３    無線通信部
２４    ディップスイッチ
２５    ソース切替部
３０    テレビ
４０ａ  レコーダ
４０ｂ  チューナ
４０ｃ  オーディオ
【要約】      （修正有）【課題】無線通信を介してＨＤＭＩ（登録商標）接続を実現する無線システム間において、無線通信が混信することを防ぐ。【解決手段】無線システム１は、無線システム１を他の無線システムから識別するための識別情報を保持する第１の保持部１４を備える無線アダプタ１０と、上記第１の保持部１４が保持する識別情報と同一の識別情報を保持する第２の保持部２４と、受信したコマンドに上記第２の保持部２４が保持する識別情報と同一の識別情報が含まれているときに限って、当該コマンドを実行する実行手段とを備えている無線アダプタ２０と、を備えている。【選択図】図２【図１】
0005276738.tif 000002
【図２】
0005276738.tif 000003
【図３】
0005276738.tif 000004